(57)【特許請求の範囲】
【請求項１】
眼球部材と収装部材とカバー部材とで構成され、眼球部材は、球面形状の目玉部分と瞼部分とを有し、目玉部分の両側部に目玉部分の球面を回動支持する支持軸を有すると共に、目玉部分の背面に開口を備え、該目玉部分の黒目上部と連接するように上方に前記瞼部分が配置され、且つ、目玉部分の下方後方に目玉部分及び瞼部分の球面よりも突出する肉厚の加重部分を有する中空形状であって、収装部材は、前記眼球部材の支持軸よりも僅かに大きな開口部を前方に有し、前記支持軸を回動可能に支持する軸受を開口部の内側に有して前記眼球部材の一部を収装可能とし、カバー部材は、半球形状にしてその縁を前記収装部材の開口部内側に被嵌可能とし、前記収装部材の前端に被装されて前記眼球部材を覆うと共に中央に縦方向に長軸を有する楕円形状の眼窩部分を有し、前記眼球部材の加重部分に対する前記支持軸の中心からの最大距離が、前記収装部材に対する前記支持軸の中心からの最小距離より大きいことにより、該眼窩部分から視認できる前記眼球部材の範囲が制限されることを特徴とする人形の目の構造。
【請求項２】
請求項１において、前記眼球部材の加重部分に、ねじが螺入されることにより、該加重部分は更に加重されることを特徴とする人形の目の構造。
【請求項３】
請求項１又は請求項２において、前記眼球部材の加重部分に、重り部材が固着されることにより、該加重部分は更に加重されることを特徴とする人形の目の構造。
【発明の詳細な説明】
【０００１】
【発明の属する技術分野】
本発明は、人形の目の位置に配設され、人形が寝た姿勢の時には目を閉じ、人形が起きた姿勢の時には目を開けるように見える、人形の目の構造に関する。
【０００２】
【従来技術】
従来より、人形の姿勢に合わせて目を開閉するように見える人形、例えば人形が寝ている姿勢の時は、目を閉じているように見え、人形が起きている姿勢の時には、目を開けているかのように見える人形がある。それは、人形の目の眼窩部分から見える、目玉又は瞼の状態を見ることによって目の開閉状態を確認できるものであり、即ち眼窩部分から、目玉部分が見えれば目を開けているかのように見え、瞼部分が見えれば目を閉じているかのように見えるものである。
【０００３】
しかしながら、その眼窩部分は、縦方向に短軸を有し、横方向に長軸を有する横長の楕円形状である為、目を開けている状態の時に、即ち目玉部分が見えた時に、目がパッチリして可愛らしいという印象は、あまり無かった。
【０００４】
【発明が解決しようとする課題】
そこで本発明は上記従来技術の問題点に鑑みなされたものであり、目が開いている状態の時、目がパッチリして可愛らしいという印象を与える人形の目の構造を提供することを目的とする。
【０００５】
【課題を解決するための手段】
請求項１記載の発明は、眼球部材と収装部材とカバー部材とで構成され、眼球部材は、球面形状の目玉部分と瞼部分とを有し、目玉部分の両側部に目玉部分の球面を回動支持する支持軸を有すると共に、目玉部分の背面に開口を備え、該目玉部分の黒目上部と連接するように上方に前記瞼部分が配置され、且つ、目玉部分の下方後方に目玉部分及び瞼部分の球面よりも突出する肉厚の加重部分を有する中空形状であって、収装部材は、前記眼球部材の支持軸よりも僅かに大きな開口部を前方に有し、前記支持軸を回動可能に支持する軸受を開口部の内側に有して前記眼球部材の一部を収装可能とし、カバー部材は、半球形状にしてその縁を前記収装部材の開口部内側に被嵌可能とし、前記収装部材の前端に被装されて前記眼球部材を覆うと共に中央に縦方向に長軸を有する楕円形状の眼窩部分を有し、前記眼球部材の加重部分に対する前記支持軸の中心からの最大距離が、前記収装部材に対する前記支持軸の中心からの最小距離より大きいことにより、該眼窩部分から視認できる前記眼球部材の範囲が制限されることを特徴とする。
【０００６】
尚、その目の構造の仕組みは、前記収装部材を傾けると、該収装部材の軸受と前記眼球部材の支持軸が滑合する為、該眼球部材の重心バランスが保たれ、即ち支持軸からの視点からは、眼球部材は動かず、収装部材及びカバー部材のみが動くこととなり、従って収装部材に被嵌されたカバー部材の眼窩部から視認できる前記目玉部分、瞼部分の状態が、収装部材を傾きに応じて変化する。例えば、眼窩部を上に向けた状態に収装部材を傾けると、該眼窩部分からは、瞼部分が視認でき、一方、眼窩部を地面に対してほぼ鉛直な状態に収装部材を傾けると、眼窩部分からは、目玉部分が視認できる。従って、この構造の目が、人形の目の位置に配設されると、人形の姿勢に合わせて即ち収装部材の傾きに合わせて、人形の目が開閉するように見える。
【０００７】
そして、本発明によれば、前記眼窩部分が、縦方向に長軸を有し、横方向に短軸を有する楕円形状であることにより、人形の目が開いている状態の時には、パッチリした大きな目を開けているように見え、人形がより可愛らしく見える。
【０００８】
また、収装部材が所定の範囲以上に傾くと、眼球部材の支持軸に対する重心バランスが変わり、眼球部材の加重部分が動こうとするが、本発明によって、眼球部材の加重部分に対する支持軸の中心からの最大距離が、収装部材に対する前記支持軸の中心からの最小距離より大きいことにより、該加重部分は該収装部材の内壁に制止され、よって眼球部材の支持軸と収装部材の軸受が滑合せず、眼球部材は収装部材、被嵌部材と協動する。この時、眼窩部から視認できるのは、瞼部分のみである。従って眼窩部から目玉部分、瞼部分以外が視認できないように、眼窩部から視認できる眼球部材の範囲が制限される為、人形の姿勢に合った目の状態を保つことができる。
【０００９】
請求項２記載の発明は、請求項１記載の人形の目の構造であって、前記眼球部材の加重部分に、ねじが螺入されることにより、該加重部分は更に加重されることを特徴とする。
【００１０】
本発明によれば、前記眼球部材の加重部分に、ねじが螺入されることにより、コンパクトな形状で且つ重量を持った加重部分を提供することができ、更に加重を増すことによって、前記収装部材の動きに伴う前記眼球部材のぶれを少なくすることができる。
【００１１】
請求項３記載の発明は、請求項１又は請求項２記載の人形の目の構造であって、前記眼球部材の加重部分に、重り部材が固着されることにより、該加重部分は更に加重されることを特徴とする。
【００１２】
本発明によれば、眼球部材の加重部分に、重り部材が固着されることにより、重りの重さ、重心等の調整を簡単に行うことができ、よりリアルな動きをする人形の目を提供することができる。
【００１３】
【発明の実施形態】
眼球部材と収装部材とカバー部材とで構成され、眼球部材は、球面形状の目玉部分と瞼部分とを有し、目玉部分の両側部に目玉部分の球面を回動支持する支持軸を有すると共に、目玉部分の背面に開口を備え、該目玉部分の黒目上部と連接するように上方に前記瞼部分が配置され、且つ、目玉部分の下方後方に目玉部分及び瞼部分の球面よりも突出する肉厚の加重部分を有する中空形状であって、収装部材は、前記眼球部材の支持軸よりも僅かに大きな開口部を前方に有し、前記支持軸を回動可能に支持する軸受を開口部の内側に有して前記眼球部材の一部を収装可能とし、カバー部材は、半球形状にしてその縁を前記収装部材の開口部内側に被嵌可能とし、前記収装部材の前端に被装されて前記眼球部材を覆うと共に中央に縦方向に長軸を有する楕円形状の眼窩部分を有している。また、眼球部材の加重部分には、更に加重する為にねじが螺入されたり、重り部材が固着される。そして、該眼窩部分から視認できる前記眼球部材の範囲を制限する為、前記眼球部材の加重部分に対する前記支持軸の中心からの最大距離が、前記収装部材に対する前記支持軸の中心からの最小距離より大きくなっている。以上のような構造の目が、人形の目の位置に配設される。
【００１４】
【実施例】
以下、図面に基づいて、本発明の人形の目の構造を詳細に説明する。図１は本発明の人形の目の構造の斜視図である。本発明の人形の目は、眼球部材１と、その眼球部材１の一部を収装する収装部材２と、眼球部材１の他部を覆うように収装部材２に被嵌するカバー３から構成される。
【００１５】
眼球部材１は、硬質樹脂等で構成され、図２（Ａ）、（Ｃ）に示すように、両側部に、支持軸１０、１０が配設される。そして、球面状に形成された部分には、目玉部分１１として、白目、黒目が描かれており、その上部には瞼部分１２として、瞼が描かれている。尚、その裏側は、重量を軽くする為、中空状態となっている。更に、その目玉部分１１の下部には、重心を調節する為に、目玉部分及び瞼部分より厚みを有し、重量を重くした加重部分１３が形成され、これによって重心が加重部分１３中に設定される。また、図２（Ｂ）に示すように、加重部分１３に対する支持軸１０、１０の中心からの最大距離は、Ｌ１及び／又はＬ１´である。何れにしてもＬ１及びＬ１´は共に、下述する収装部材２の開口部２０の直径Ｌ２÷２より、大きい。このことによって、加重部分１３に対する前記支持軸の中心からの最大距離が、収装部材２に対する支持軸１０、１０の中心からの最小距離より大きくなる。
【００１６】
更に図３（Ａ）に示すように、その加重部分１３の中央部分には、加重を増す為のねじ１４が埋設される。尚、図３（Ｂ）に示すように、加重部分１３の中央部分に、加重を増す為の重り部材１５を、接着剤等によって固着しても良い。
【００１７】
収装部材２は、軟質樹脂等で構成され、図４（Ａ）に示すように、開口部２０を有する中空のボール形状を成している。その開口部２０は、支持軸１０、１０の長さより僅かに大きい直径Ｌ２の円形状を成しており、又その内側には、支持軸１０、１０を載置する為の軸受２１、２１が配設される。また、カバー３に被嵌される為、開口部２０の縁は、僅かに内側に向いており、更にその内側には、カバー２の爪部３１を掛合させる為の、掛合溝２２が形成される。
【００１８】
カバー３は、アルミニウム材等で構成され、図４（Ｂ）に示すように、半球形状で、その上部に、縦方向に長軸を有し横方向に短軸を有する横長の楕円形状に、切欠された眼窩部３０を有する。また、カバー３の縁は、収装部材２に被嵌する為、僅かに外側に向いており、その両側部には、収装部材３の掛合溝２２に掛合させる為の、爪部３１が形成される。
【００１９】
そして、収装部材２の軸受２１、２１に、眼球部材１の加重部分１３を収装するようにして眼球部材１の支持軸１０、１０を載置し、カバー３の爪部３１を収装部材２の開口部２０の掛合溝２２に掛合させて、カバー３を収装部材２に被嵌させる。このようにして、本発明の人形の目が構成される。このとき、収装部材２を傾けると、眼球部材１の支持軸１０、１０と収装部材２の軸受２１、２１が滑合する為、眼球部材１の支持軸１０、１０に対する重心バランスが保たれ、即ち支持軸１０、１０からの視点からは、眼球部材１は動かず、収装部材２及びカバー３のみが動くこととなり、従ってカバー３の眼窩部３０から視認できる目玉部分１１、瞼部分１２の状態が、収装部材２の傾きに応じて変化する。
【００２０】
例えば、図５（Ｄ）に示すように、眼窩部３０を上に向けた状態に収装部材２を傾けると、眼窩部３０からは、瞼部分１２が視認できる。ここで、支持軸１０、１０を、支持軸１０、１０に対して垂直な線ＡＡ線で切った時、収装部材２の眼球部材１の正面部分を収装している部分を２Ａとし、収装部材２の眼球部材１の加重部分を収装している部分を２Ｂとする。図５（Ｂ）に示すように、眼窩部３０を地面に対して鉛直な状態で且つ２Ｂが２Ａより上に在る状態に収装部材２を傾けると、眼窩部３０からは、目玉部分１１が視認できる。そして、例えば図５（Ｃ）に示すように、眼窩部３０を上に向けた状態から、地面に対してほぼ鉛直な状態にするまでの傾きの状態で且つ２Ｂが２Ａより上に在る状態では、眼窩部３０からは、目玉部分１１及び瞼部分１２の両方が、それぞれその傾きの度合いに応じた分量ずつ視認できる。
【００２１】
尚、例えば図５（Ａ）に示すように、２Ｂが２Ａより上に在る状態で且つ眼窩部３０が下向きの状態に収装部材２を傾けたときには、眼球部材１は、支持軸１０、１０に対する重心バランスを保とうとする為、加重部分１３が動こうとする。しかし、加重部分１３に対する前記支持軸の中心からの距離Ｌ１が、収装部材２に対する支持軸１０、１０の中心からの最小距離Ｌ２÷２より大きい為、加重部分１３は収装部材２の内壁に制止され、よって眼球部材１の支持軸１０、１０と収装部材２の軸受２１、２１が滑合せず、眼球部材１は収装部材２、カバー３と協動する。この時、眼窩部３０から視認できるのは、目玉部分１１のみである。
【００２２】
逆に、例えば図５（Ｅ）に示すように、２Ａが２Ｂより上に在る状態に収装部材２を傾けたときには、眼球部材１は、支持軸１０、１０に対する重心バランスを保とうとする為、加重部分１３が動こうとする。しかし、加重部分１３に対する前記支持軸の中心からの距離Ｌ１´が、収装部材２に対する支持軸１０、１０の中心からの最小距離Ｌ２÷２より大きい為、加重部分１３は収装部材２の内壁に制止され、よって眼球部材１の支持軸１０、１０と収装部材２の軸受２１、２１が滑合せず、眼球部材１は収装部材２、カバー３と協動する。この時、眼窩部３０から視認できるのは、瞼部分１２のみである。
【００２３】
このようにして、眼窩部３０から目玉部分１１、瞼部分１２以外が視認できないように、眼窩部３０から視認できる眼球部材１の範囲が制限される。
【００２４】
そして、この目を、人形の目の部分に、適宜方法で配設すると、人形を寝かした状態にした時には、眼窩部３０からは、瞼部分１２のみが視認できるので、あたかも人形が目を閉じているかのように見える。また、人形を起きた状態にした時には、眼窩部３０からは、目玉部分１１が視認できるので、あたかも人形が目を開けているかのように見える。更に、この時、眼窩部３０の形状が、縦方向に長軸を有し横方向に短軸を有する横長の楕円形状である為、パッチリした大きな目となり、人形がより可愛らしく見える。
【００２５】
以上、好ましい実施例を挙げて本発明を説明したが、本発明はその実施例に限定されるものではなく、特許請求の範囲に記載した技術的範囲内で種々に改変できる。例えば、人形の目の目玉部分、瞼部分は、描画ではなく、目玉部材、瞼部材を組み合わせたものであっても良い。
【００２６】
【発明効果】
本発明は、以上説明したような形態で実施され、次のような効果を奏する。
【００２７】
本発明によれば、前記眼窩部分が、縦方向に長軸を有し、横方向に短軸を有する楕円形状であることにより、人形の目が開いている状態の時には、パッチリした大きな目を開けているように見え、人形がより可愛らしく見える。
【００２８】
本発明によれば、前記眼球部材の加重部分に、ねじが螺入されることにより、コンパクトな形状で且つ重量を持った加重部分を提供することができ、更に加重を増すことによって、前記収装部材の動きに伴う前記眼球部材のぶれを少なくすることができる。
【００２９】
本発明によれば、眼球部材の加重部分に、重り部材が固着されることにより、重りの重さ、重心等の調整を簡単に行うことができ、よりリアルな動きをする人形の目を提供することができる。
【００３０】
前記収装部材が所定の範囲以上に傾くと、前記眼球部材の支持軸に対する重心バランスが変わり、前記眼球部材の加重部分が動こうとするが、本発明によって、前記眼球部材の加重部分に対する前記支持軸の中心からの最大距離が、前記収装部材に対する前記支持軸の中心からの最小距離より大きいことにより、該加重部分は該収装部材の内壁に制止され、よって眼球部材の支持軸と収装部材の軸受が滑合せず、眼球部材は収装部材、被嵌部材と協動する。この時、眼窩部から視認できるのは、瞼部分のみである。従って眼窩部から目玉部分、瞼部分以外が視認できないように、眼窩部から視認できる眼球部材の範囲が制限される為、人形の姿勢に合った目の状態を保つことができる。
【図面の簡単な説明】
【図１】  本発明の実施形態における一実施例の構造を有する人形の目の斜視図。
【図２】  同実施例の眼球部材を示す図で、（Ａ）は正面図、（Ｂ）は右側面図、（Ｃ）は斜視図。
【図３】  同実施例の眼球部材を示す図で、（Ａ）は背面斜視図、（Ｂ）は他の例の背面斜視図。
【図４】  同実施例の（Ａ）は収装部材を示す斜視図、（Ｂ）はカバーを示す斜視図。
【図５】  同実施例の目の動きを示す図。
【図６】  同実施例の目を用いた人形を示す図で、（Ａ）は人形が寝ている姿勢を示す図、（Ｂ）は人形が起きている姿勢を示す図。
【符号の説明】
１    眼球部材
１０  支持軸
１１  目玉部分
１２  瞼部分
１３  加重部分
１４  ねじ
１５  重り部材
２    収装部材
２０  開口部
２１  軸受
２２  掛合溝
３    カバー
３０  眼窩部
３１  爪部
【図１】
0003828762.tif 000002
【図２】
0003828762.tif 000003
【図３】
0003828762.tif 000004
【図４】
0003828762.tif 000005
【図５】
0003828762.tif 000006
【図６】
0003828762.tif 000007